(57)【要約】【課題】複雑な構成を用いることなく、チューナ同士のスペクトラム干渉を防止すること。【解決手段】放送波が入力され、選局するチャンネルの中心周波数に第１の値を加算した周波数である第１の発振周波数を混合することにより選局する第１のチューナと、第１のチューナに入力される放送波と同一の放送波が入力され、選局するチャンネルの中心周波数に第１の値より小さい第２の値を加算した周波数である第２の発振周波数を混合することにより選局する第２のチューナと、を備える。【選択図】図１
2010268339.tif 000002
【特許請求の範囲】
【請求項１】
放送波が入力され、選局するチャンネルの中心周波数に第１の値を加算した周波数である第１の発振周波数を混合することにより選局する第１のチューナと、
前記第１のチューナに入力される放送波と同一の放送波が入力され、選局するチャンネルの中心周波数に前記第１の値より小さい第２の値を加算した周波数である第２の発振周波数を混合することにより選局する第２のチューナと、
を備えた、選局装置。
【請求項２】
前記第１のチューナと前記第２のチューナを第１のチューナモジュールとして一体に成型する請求項１に記載の選局装置。
【請求項３】
前記第２の発振周波数は、各チャンネルの有効物理周波数帯と重複しない領域であって、且つ、２つの連続するチャンネルの有効物理周波数帯の間に設定されたことを特徴とする、請求項１に記載の選局装置。
【請求項４】
前記第２の発振周波数は、選局したチャンネルの有効物理周波数帯と、その選局したチャンネルに隣接するチャンネルの有効物理周波数帯との間に設定されたことを特徴とする、請求項３に記載の選局装置。
【請求項５】
前記第１の値は５７ＭＨｚ以上５８ＭＨｚ以下であり、前記第２の値は２．８８ＭＨｚ以上３．１２ＭＨｚ以下であることを特徴とする、請求項１に記載の選局装置。
【請求項６】
前記選局装置は、入力された放送波を選局することなく出力可能である請求項１に記載の選局装置。
【発明の詳細な説明】
【技術分野】
【０００１】
本発明は、受信した放送を選局可能な選局装置に関する。
【背景技術】
【０００２】
テレビやレコーダなど、テレビジョン放送を受信可能な選局装置においては、２画面表示などを実現する為に、同一の機能を持つチューナを複数搭載している場合がある。この場合に、それぞれのチューナが同一のチャンネルを選局している場合には、理論上ではそれぞれのチューナの局部発振信号の周波数（以下、局部発振周波数と称する）が一致するはずである。しかし、実際には、それぞれの局部発信器間の誤差により、同一とならずに微小なズレが生じる。このため、両者の局部発振器が互いにスペクトラム干渉を起こし、局部発振信号の位相雑音劣化が発生してしまう。この結果、表示画面の画質が低下したり、表示画面がブラックアウトしたりすることがある。
【０００３】
上記課題の解決の為、同一チャンネルを選局されたか否かを判断し、同一のチャンネルの場合には、一方のチューナの局部発振信号を他方のチューナに入力することにより、スペクトラム干渉を解消する発明が開示されている（例えば、特許文献１に記載。）。
【先行技術文献】
【特許文献】
【０００４】
【特許文献１】国際公開第２００７／１２５７７５号
【発明の概要】
【発明が解決しようとする課題】
【０００５】
しかしながら、上記方法によれば、チューナで選局するチャンネルをかえるごとにチャンネルが同一であるかを判定する必要があり選局装置への負担が大きかった。また、一方のチューナは、他方チューナの局部発振信号を受け付ける受付部や選局したチャンネルに応じて自機の局部発振信号か他方チューナの局部発振信号化を選択する選択部が必要となり、複雑な制御となっていた。
【課題を解決するための手段】
【０００６】
上記課題を解決する為、本発明の選局装置は、放送波が入力され、選局するチャンネルの中心周波数に第１の値を加算した周波数である第１の発振周波数を混合することにより選局する第１のチューナと、第１のチューナに入力される放送波と同一の放送波が入力され、選局するチャンネルの中心周波数に第１の値より小さい第２の値を加算した周波数である第２の発振周波数を混合することにより選局する第２のチューナと、を備える。
【発明の効果】
【０００７】
本発明の選局装置によれば、複雑な構成を用いることなく、また、複雑な動作をすることなく、チューナ同士のスペクトラム干渉を防止することができる。
【図面の簡単な説明】
【０００８】
【図１】本実施の形態による録画再生装置１００の構成を示すブロック図
【図２】第１のチューナモジュール１０１の構成を示すブロック図
【図３】ＣＡＮチューナ２０６の構成を示すブロック図
【図４】シリコンチューナ２０７の機能ブロックを示すブロック図
【図５】ＣＡＮチューナ２０６で選局する信号と局部発振信号と周波数の関係を説明する為の図
【図６】シリコンチューナ２０７で選局する信号と局部発振信号と周波数の関係を説明する為の図
【図７】局部発振信号の周波数と有効物理周波数の関係を説明する為の図
【発明を実施するための形態】
【０００９】
以下本発明を実施するための形態について、図面を参照しながら説明する。
【００１０】
図１は本実施の形態による録画再生装置１００の構成を示すブロック図である。本実施の形態による録画再生装置１００は、地上デジタル放送受信アンテナ１１３、ＢＳデジタル放送受信アンテナ１１４、第１のチューナモジュール１０１、第２のチューナモジュール１０２、第１の復調部１０３、第２の復調部１０４、ＡＶデコーダ１０５、ＡＶエンコーダ１１１、記録部１０６、ドライブ装置１０７、記録メディア１１２、出力部１０８、マイコン１０９、リモコン受光部１１０を備える。
【００１１】
地上デジタル放送受信アンテナ１１３は地上波デジタル放送電波を受信する。ＢＳデジタル放送受信アンテナ１１４はＢＳ（Ｂｒｏａｄｃａｓｔｉｎｇ  Ｓａｔｅｌｌｉｔｅ）デジタル放送を受信する。第１のチューナモジュール１０１は、地上デジタル放送受信アンテナ１１３で受信した地上波デジタル放送信号を選局する。第１のチューナモジュール１０１は地上波デジタル放送信号を同時に２チャンネル選局し、ＩＦ信号として出力することができる。また、第１のチューナモジュール１０１は入力された地上波デジタル放送信号をそのまま録画再生装置１００の外部へ出力することができる。第１のチューナモジュール１０１の構成の詳細については後述する。
【００１２】
第２のチューナモジュール１０２は、ＢＳデジタル放送受信アンテナ１１４で受信した地上波デジタル放送信号を選局する。第２のチューナモジュール１０２はＢＳデジタル放送信号を同時に２チャンネル選局し、ＩＦ信号として出力することができる。また、第２のチューナモジュール１０２は入力されたＢＳデジタル放送信号をそのまま録画再生装置１００の外部へ出力することができる。
【００１３】
第１の復調部１０３は、第１のチューナモジュール１０１または第２のチューナモジュール１０２から出力されるＩＦ信号をＴＳ（Ｔｒａｎｓｐｏｒｔ  Ｓｔｒｅａｍ：トランスポートストリーム）データに復調する。第２の復調部１０４は、第１のチューナモジュール１０１または第２のチューナモジュール１０２から出力されるＩＦ信号をＴＳデータに復調する。ＡＶデコーダ１０５は第１の復調部１０３または／及び第２の復調部１０４で復調されたＴＳデータを変換してＡＶデータを生成する。生成されたＡＶデータは記録部１０６、ドライブ装置１０７もしくは出力部１０８に出力される。
【００１４】
出力部１０８はＡＶデコーダ１０５で生成されたＡＶデータを出力可能なデータ形式に変換して、録画再生装置１００の外部に出力する。出力部１０８の一例としてＨＤＭＩ端子がある。
【００１５】
ＡＶエンコーダ１１１は第１の復調部１０３または／及び第２の復調部１０４で復調されたＴＳデータを所定のＡＶデータに変換する。所定のＡＶデータとは、例えば、ＭＰＥＧ２  ＰＳやＭＰＥＧ４  ＡＶＣ／Ｈ．２６４などである。
【００１６】
記録部１０６は、録画再生装置１００の内部に備えられ、各種データを記録可能な記録媒体である。記録部１０６は、例えば、ハードディスクやフラッシュメモリなどである。記録部１０６はＡＶエンコーダ１１１でエンコードされたＡＶデータを記録する。あるいは、また、ＡＶデコーダ１０５に入力されたＴＳデータがそのままＡＶデコーダ１０５から出力され記録部１０６に記録される。
【００１７】
ドライブ装置１０７は、録画再生装置１００の外部より記録メディア１１２を設置することができる。ドライブ装置１０７に設置できる記録メディア１１２としては、例えば、ＤＶＤディスクやＢＤディスクなどのディスク型の記録媒体や、ディスクを内包するディスクカードリッジや、ＳＤカードなどのカード型記録媒体などある。ドライブ装置１０７はＡＶエンコーダ１１１でエンコードされたＡＶデータを記録する。あるいは、ドライブ装置１０７はＡＶデコーダ１０５に入力されたＴＳデータがそのままＡＶデコーダ１０５から出力され記録部１０６に記録される。
【００１８】
リモコン受光部１１０は、リモコン１５０から送信されるリモコン信号を受信する。マイコン１０９はＩ２Ｃバスを通じて、第１のチューナモジュール１０１、第２のチューナモジュール１０２、第１の復調部１０３、第２の復調部１０４、ＡＶデコーダ１０５、記録部１０６ドライブ装置１０７出力部１０８、ＡＶエンコーダ１１１を制御する。また、マイコン１０９はリモコン受光部１１０がリモコン信号を受信した場合は、その受信した信号に基づき、第１のチューナモジュール１０１、第２のチューナモジュール１０２、第１の復調部１０３、第２の復調部１０４、ＡＶデコーダ１０５、記録部１０６ドライブ装置１０７出力部１０８、ＡＶエンコーダ１１１を制御する。
【００１９】
次に図２を用いて、第１のチューナモジュール１０１の構成の詳細について説明する。第１のチューナモジュール１０１は、第１の増幅器２０１、第２の増幅器２０２、第３の増幅器２０３、第４の増幅器２０４、第５の増幅器２０５、ＣＡＮチューナ２０６、シリコンチューナ２０７により構成される。第１の増幅器２０１は、入力された地上波デジタル放送信号を増幅する。第１の増幅器２０１による信号の増幅により、信号レベルを下げることなく信号の分岐が可能となり、ＤＴＶ等へ出力することができる。第２の増幅器２０２は第１の増幅器２０１から出力された信号が入力され、その信号を増幅して出力する。この第２の増幅器２０２による信号の増幅により、信号レベルを下げることなく信号の分岐が可能となり、第３の増幅器２０３、第４の増幅器２０４及び第５の増幅器２０５に出力することができる。
【００２０】
第３の増幅器２０３は入力された信号のＲＦ周波数帯の信号を増幅する。第３の増幅器２０３は特にＵＨＦ周波数帯を増幅する。第４の増幅器２０４は入力された信号の所定の周波数帯域を増幅する。第４の増幅器２０４は特にＶＨＦ周波数帯を増幅する。第５の増幅器２０５はＲＦ周波数帯の信号を増幅する。
【００２１】
ＣＡＮチューナ２０６は入力された信号を選局し、選局した信号を出力する。ＣＡＮチューナ２０６はＵＨＦ周波数帯のチャンネルを選局する場合は、第３の増幅器２０３の出力を用いる。また、ＣＡＮチューナ２０６はＶＨＦ周波数帯のチャンネルを選局する場合は、第４の増幅器２０４の出力を用いる。ＣＡＮチューナ２０６の構成の詳細は後述する。
【００２２】
シリコンチューナ２０７は入力された信号を選局し、選局した信号を出力する。シリコンチューナ２０７の構成の詳細については後述する。
【００２３】
図３はＣＡＮチューナ２０６の構成の詳細を示す図である。ＣＡＮチューナ２０６は、第１のＢＰＦ（段間ＢＰＦ）３０１、第２のＢＰＦ（段間ＢＰＦ）３０２、第１のＯＳＣ３０３、第１の積算部３０４、第３のＢＰＦ３０５を備える。第１のＢＰＦ３０１、第２のＢＰＦ（段間ＢＰＦ）３０２、第１のＯＳＣ３０３、第１の積算部３０４、第３のＢＰＦ３０５は、Ｉ２Ｃバスを通じてマイコン１０９に制御される。
【００２４】
第１のＢＰＦ３０１はフィルタリングにより所定の周波数領域の信号のみを出力するフィルタである。マイコン１０９がＣＡＮチューナ２０６に対し、ＶＨＦ周波数帯のあるチャンネルを選局するように命令した場合には、第１のＢＰＦ３０１はそのチャンネルを選局するようにＢＰＦの透過領域を制御する。すると、第１のＢＰＦ３０１からはマイコン１０９により指定されたチャンネルの周波数の信号が出力される。マイコン１０９がＵＨＦ周波数帯のチャンネルを選局するように命令した場合は、第１のＢＰＦ３０１から信号は出力されない。
【００２５】
第２のＢＰＦ（段間ＢＰＦ）３０２はフィルタリングにより所定の周波数領域の信号のみを出力するフィルタである。マイコン１０９がＣＡＮチューナ２０６に対し、ＵＨＦ周波数帯のあるチャンネルを選局するように命令した場合には、第２のＢＰＦ（段間ＢＰＦ）３０２はそのチャンネルを選局するようにＢＰＦの透過領域を制御する。すると、第２のＢＰＦ（段間ＢＰＦ）３０２からはマイコン１０９により指定されたチャンネルの周波数の信号が出力される。マイコン１０９がＶＨＦ周波数帯のチャンネルを選局するように命令した場合は、第２のＢＰＦ（段間ＢＰＦ）３０２から信号は出力されない。
【００２６】
第１のＯＳＣ３０３はマイコン１０９からの制御に基づき、局部発振信号を発生する。局部発振信号の周波数について、図５を用いて説明する。図５はあるチャンネルを選局した場合の第１のＢＰＦ３０１または第２のＢＰＦ（段間ＢＰＦ）３０２から出力される信号と、局部発振信号の周波数との関係を示す図である。図５に示すように、局部発振信号の周波数は選局したチャンネルの中心周波数に５７ＭＨｚを加算された値となる。なお、局部発振信号の周波数は選局したチャンネルの中心周波数に加算する周波数は必ずしも５７ＭＨｚである必要は無いが、一般には、５７ＭＨｚから５８ＭＨｚが用いられる。
【００２７】
第１の積算部３０４は、第１のＢＰＦ３０１または第２のＢＰＦ（段間ＢＰＦ）３０２から出力された信号と、第１のＯＳＣ３０３から出力された局部発振信号を積算する。積算された信号はＩＦ信号として、第３のＢＰＦ３０５に出力される。
第３のＢＰＦ３０５はマイコン１０９からの制御に基づき、選局するチャンネルに対応するＩＦ信号の周波数帯域の信号を透過するフィルタである。第３のＢＰＦ３０５により、第１の積算部３０４から出力されるＩＦ信号にノイズが入っていた場合に、そのノイズが除去される。
【００２８】
図４はシリコンチューナ２０７の機能ブロックを示す図である。シリコンチューナ２０７はＣＡＮチューナ２０６と異なり一般にはＩＣで実現される。シリコンチューナ２０７は、第４のＢＰＦ（段間ＢＰＦ）４０１、第２のＯＳＣ４０２、第２の積算部４０３を備える。第４のＢＰＦ４０１、第２のＯＳＣ４０２、第２の積算部４０３は、Ｉ２Ｃバスを通じてマイコン１０９に制御される。
【００２９】
第４のＢＰＦ４０１はフィルタリングにより所定の周波数領域の信号のみを出力するフィルタである。マイコン１０９がシリコンチューナ２０７に対し、あるチャンネルを選局するように命令した場合には、第４のＢＰＦ４０１はそのチャンネルを選局するようにＢＰＦの透過領域を制御する。すると、第４のＢＰＦ４０１からはマイコン１０９により指定されたチャンネルの周波数の信号が出力される。
【００３０】
第２のＯＳＣ４０２はマイコン１０９からの制御に基づき、局部発振信号を発生する。局部発振信号の周波数について、図６を用いて説明する。図６はあるチャンネルを選局した場合の第４のＢＰＦ４０１から出力される信号と、第２のＯＳＣ４０２から出力される局部発振信号の周波数との関係を示す図である。図６に示すように、局部発振信号の周波数は選局したチャンネルの中心周波数に３ＭＨｚを加算された値となる。
【００３１】
つまり、本実施の形態の選局装置は、放送波が入力され、選局するチャンネルの中心周波数に第１の値を加算した周波数である第１の発振周波数を混合することにより選局するＣＡＮチューナ２０６と、ＣＡＮチューナ２０６に入力される放送波と同一の放送波が入力され、選局するチャンネルの中心周波数に第１の値より小さい第２の値を加算した周波数である第２の発振周波数を混合することにより選局するシリコンチューナ２０７と備える。
【００３２】
これにより、２つ以上のチューナを近接して設置した場合であっても、ＣＡＮチューナ２０６に用いる局部発振周波数とシリコンチューナ２０７に用いる局部発振周波数とが異なる為、この二つの局部発振周波数のスペクトラム干渉を防止することができる。
【００３３】
また、本実施の形態の選局装置は、図１の第１のチューナモジュール１０１に記載しているように、一体のモジュールとして成型しても良い。つまり、ＣＡＮチューナ２０６とシリコンチューナ２０７を第１のチューナモジュール１０１として一体に成型する。これにより、選局装置を小型化することができる。
【００３４】
なお、局部発振信号の周波数は、必ずしも選局したチャンネルの中心周波数に３ＭＨｚを加算された値でなくても良い。図７は局部発振信号の周波数と有効物理周波数の関係を説明する為の図である。図７において、横軸は周波数を示している。図７からも明らかなように、１チャンネルの周波数幅は６ＭＨｚである。周波数幅は６ＭＨｚのうち、映像データや音声データなど放送データを含む周波数帯である有効物理周波数は、そのチャンネルの中心周波数を中心として５．７６Ｍｈｚである。つまり、各チャンネルの両端には０．１２ＭＨｚの放送データを含まない周波数帯域がある。第２のＯＳＣ４０２は、この放送データを含まない区間に局部発振信号の周波数を設定することが好ましい。その理由を以下に説明する。
【００３５】
図１に示すように、第１のチューナモジュール１０１からは地上波デジタル放送信号がそのまま出力される。シリコンチューナ２０７があるチャンネルを選局している場合には、第２のＯＳＣ４０２から所定の局部発振周波数が出力されている。この場合において、局部発振信号の周波数がいずれかのチャンネルの有効物理周波数と重複する設定された場合には、以下のような２つの状態が発生する可能性がある。
【００３６】
第１の状態は、例えば、シリコンチューナ２０７の第２のＯＳＣ４０２で発生する局部発振周波数とＣＡＮチューナ２０６で選局しているチャンネルの有効物理周波数とが一致した場合に発生する。
【００３７】
シリコンチューナ２０７の第２のＯＳＣ４０２で発生する局部発振信号がＣＡＮチューナ２０６への入力信号に対しノイズとして加算される。この場合に、局部発振信号の周波数が有効物理周波数でない場合には、その放送波に対し局部発振信号の周波数が重畳された場合であっても、有効物理周波数帯にはノイズとして重畳されることは無い。しかし、局部発振信号の周波数が有効物理周波数帯である場合には、その放送波に対し局部発振信号の周波数が重畳された場合には、その局部発振信号が放送データにノイズとして重畳される。すると、ＣＡＮチューナ２０６に入力される信号の品質が劣化し、ＣＡＮチューナ２０６で選局した信号を表示する際にブロックノイズなどが表示される。
【００３８】
上記問題に対する対策としては、局部発振信号の周波数と有効物理周波数が重複しないように局部発振信号の周波数を設定すればよい。具体的には、図７に示す放送方式の場合は、各チャンネルの中心周波数のより２．８８ＭＨｚより大きく、３．１２ＭＨｚより小さい周波数帯に局部発振信号の周波数を設定すればよい。
【００３９】
また、上記のように局部発振信号の周波数を選局するチャンネルと隣接するチャンネルとの間においても良いし、例えば、各チャンネルの中心周波数のより３．８８ＭＨｚより大きく、６．１２ＭＨｚより小さい周波数帯など、隣接しない周波数帯域に設定しても良い。
【００４０】
なお、ＣＡＮチューナ２０６の第１のＯＳＣ３０３で発生する局部発振周波数とシリコンチューナ２０７で選局しているチャンネルの有効物理周波数とが一致した場合でも同様のことが起こりうるが、同様の対策により解決することができる。
【００４１】
第２の状態は、第１のチューナモジュール１０１から外部機器（例えば、デジタルテレビなど）に出力される地上波デジタル放送信号に対し、局部発振信号がノイズとして加算される。この場合に、局部発振信号の周波数が有効物理周波数でない場合には、その放送波に対し局部発振信号の周波数が重畳された場合であっても、有効物理周波数帯にはノイズとして重畳されることは無い。しかし、局部発振信号の周波数が通行物理周波数帯である場合には、その放送波に対し局部発振信号の周波数が重畳された場合には、その局部発振信号が放送データにノイズとして重畳される。すると、出力される地上波デジタル放送信号の品質が悪化し、デジタルテレビなどでその信号を表示する際にブロックノイズなどが表示される。
【００４２】
上記問題に対する対策としては、局部発振信号の周波数と有効物理周波数が重複しないように局部発振信号の周波数を設定すればよい。具体的には、図７に示す放送方式の場合は、各チャンネルの中心周波数のより２．８８ＭＨｚ以上であり、３．１２ＭＨｚ以下である周波数帯に局部発振信号の周波数を設定すればよい。
【００４３】
つまり、本実施の形態の選局装置は、第２の発振周波数は、各チャンネルの有効物理周波数帯と重複しない領域であって、且つ、２つの連続するチャンネルの有効物理周波数帯の間に設定されてもよい。
【００４４】
これにより、局部発振信号が他のチューナに入力される、もしくは、外部へと出力される放送波の有効物理周波数領域にノイズとして重畳されることを軽減することができる。
【００４５】
また、本実施の形態の選局装置は、第２の発振周波数は、選局したチャンネルの有効物理周波数帯と、その選局したチャンネルの有効物理周波数帯の間に設定されてもよい。
【００４６】
この場合、第２の発振周波数は選局したチャンネルの中心周波数の近傍に設定される為、選局に使用する周波数帯域を狭くすることができる。
【００４７】
また、本実施の形態の選局装置は、第１の値は５７ＭＨｚ以上５８ＭＨｚ以下であり、第２の値は２．８８ＭＨｚ以上３．１２ＭＨｚ以下であってもよい。また、本実施の形態の選局装置は、入力された放送波を選局することなく出力可能であってもよい。
【００４８】
また、本実施の形態では、ＣＡＮチューナとシリコンチューナを用いているが、この形態に限定されるものではない。すなわち、ＣＡＮチューナを２つ備えていても良いし、シリコンチューナを２つ備えていても良い。もしくは、ＣＡＮチューナもしくはシリコンチューナと異なるチューナであっても良い。
【産業上の利用可能性】
【００４９】
本発明にかかる選局装置は、複雑な構成を用いることなく、また、複雑な動作をすることなく、チューナ同士のスペクトラム干渉を防止するので、レコーダやテレビジョン受信機等に有用である。
【符号の説明】
【００５０】
１００    録画再生装置
１０１    第１のチューナモジュール
１０２    第２のチューナモジュール
１０３    第１の復調部
１０４    第２の復調部
１０５    ＡＶデコーダ
１０６    記録部
１０７    ドライブ装置
１０８    出力部
１０９    マイコン
１１０    リモコン受光部
１１１    ＡＶエンコーダ
１１２    記録メディア
１１３    地上デジタル放送受信アンテナ
１１４    ＢＳデジタル放送受信アンテナ
１５０    リモコン
２０１    第１の増幅器
２０２    第２の増幅器
２０３    第３の増幅器
２０４    第４の増幅器
２０５    第５の増幅器
２０６    ＣＡＮチューナ
２０７    シリコンチューナ
３０１    第１のＢＰＦ（段間ＢＰＦ）
３０２    第２のＢＰＦ（段間ＢＰＦ）
３０３    第１のＯＳＣ
３０４    第１の積算部
３０５    第３のＢＰＦ
４０１    第４のＢＰＦ（段間ＢＰＦ）
４０２    第２のＯＳＣ
４０３    第２の積算部
４０４    第５のＢＰＦ
【図１】
2010268339.tif 000003
【図２】
2010268339.tif 000004
【図３】
2010268339.tif 000005
【図４】
2010268339.tif 000006
【図５】
2010268339.tif 000007
【図６】
2010268339.tif 000008
【図７】
2010268339.tif 000009